(57)【要約】【課題】部品点数が少なく構造が簡単であり、製作費が安価となるサクションロールを提供する。【解決手段】内部に減圧室２１を形成すると共に円筒壁の一部に内外を連通する開口２２を備える内筒２０と、内筒２０の一端部に取り付けられ減圧室２１と機外とを連通する中空固定軸３１と、内筒２０の他端部を閉塞して設けられる閉塞固定軸３２と、両固定軸３１、３２に軸受４１、４２を介して取り付けられ円筒壁の一部に内外をガスが流通可能なガス吸引部５５が形成される外筒５０とを備え、内筒２０の円筒外表面と外筒５０の円筒内表面とが密接して形成される。【選択図】図１
2010173842.tif 000002
【特許請求の範囲】
【請求項１】
円筒状をなして内部に減圧室を形成すると共に円筒壁の一部に内外を連通する開口を備える内筒と、
前記内筒の一端部に取り付けられると共に中空状をなして前記減圧室と機外とを連通する中空固定軸と、
前記内筒の他端部を閉塞して設けられると共に前記中空固定軸と同一軸線上に形成される閉塞固定軸と、
円筒状をなして前記両固定軸に軸受を介して回転可能に取り付けられると共に円筒壁の一部に内外をガスが流通可能なガス吸引部が形成される外筒とを備え、
前記内筒の円筒外表面と前記外筒の円筒内表面とが密接して形成されていることを特徴とするサクションロール。
【請求項２】
前記外筒が、前記閉塞固定軸の側に駆動軸を備えていることを特徴とする請求項１に記載のサクションロール。
【請求項３】
前記ガス吸引部が、円筒壁に多数の孔を穿設して形成されていることを特徴とする請求項１又は２に記載のサクションロール。
【請求項４】
前記内筒の円筒外表面と前記外筒の円筒内表面との間の隙間が、０．３ｍｍ以下に形成されていることを特徴とする請求項１乃至３の何れかに記載のサクションロール。
【発明の詳細な説明】
【技術分野】
【０００１】
本発明は、輪転機及び塗工機における連続紙（成膜塗布紙）の供給等に使用され、搬送物を吸着搬送するサクションロールに関し、特に、簡単な構造で安価に製造することができるサクションロールに関する。
【背景技術】
【０００２】
輪転機において、搬送物に駆動力を伝える方法としては、フィードロール（メッキ金ロール）にニップロール（ゴムロール）を押え付けて、両ロールの間に搬送物を挟む方法が一般的であった。最近では、品質の向上や生産性のスピードアップが強く求められている。そして、クリーン環境の要求から塗布面への接触を嫌い、吸引により駆動力を伝えるサクションロールに移行しつつある。
【０００３】
従来から、サクションロールとして多くの形式のものが使用されている。中でも、固定した内筒と回転する外筒とを組み合わせた形式のものは、非常に多くの分野で使用されている。例えば、特許文献１には、フィルム用サクションロールの代表的な一例が記載されている。
【０００４】
図３及び図４に示すように、特許文献１に記載されたサクションロール１１０は、円筒状をなして内部に減圧室１２１を形成すると共に、円筒壁の一部に内外を連通する開口１２２を備える内筒１２０を備えている。内筒１２０の一端部には、中空状をなして減圧室１２１と機外とを連通する中空固定軸１３１が取り付けられている。また、内筒１２０の他端部には、他端部を閉塞すると共に中空固定軸１３１と同一軸線上に形成される閉塞固定軸１３２が取り付けられている。
【０００５】
そして、内筒１２０を包み込むような状態で、外筒１５０が設けられている。外筒１５０は円筒状をなすと共に、両端のサイドフランジ１５１、１５２が軸受１４１、１４２を介して両固定軸１３１、１３２に回転可能に取り付けられている。また、円筒壁の一部に、内外をガスが流通可能なガス吸引部１５５が形成されている。
【０００６】
外筒１５０は、中空固定軸１３１の側に中空回転軸１５３を、閉塞固定軸１３２の側に駆動軸１５４を備えている。中空回転軸１５３及び駆動軸１５４は、軸受を介して固定枠などに取り付けることができる。
【０００７】
外筒１５０と内筒１２０との間に形成される空間は、内筒１２０の円筒外表面に設けられる仕切り部材１２３によって、吸引領域１６１と非吸引領域１６２とに２分されている。そして、仕切り部材１２３の外表面は、外筒１５０の内表面と密接するように形成されている。
【０００８】
吸引領域１６１は、内筒１２０の表面に開口１２２を備えている領域であり、外筒１５０のガス吸引部１５５を通じて空気を吸引することができる。非吸引領域１６２は、内筒１２０の表面に開口１２２を備えておらず、ガス吸引部１５５を通じて空気を吸引することができない。図２において、吸引領域１６１に対応する角度が、搬送物Ｆを吸着する吸引角θとなる。
【０００９】
このサクションロール１１０を使用するときは、中空回転軸１５３及び駆動軸１５４を固定枠等に回転可能に取り付け、別途に設けた駆動源により駆動軸１５４を回転する。同時に、中空固定軸１３１を真空ポンプ等の減圧源に接続し、減圧室１２１内を減圧状態とする。これによって、搬送物Ｆを外筒１５０に巻き付かせて、吸着搬送することができる。
【００１０】
しかしながら、このサクションロール１１０は、部品点数が多く構造が複雑であるために、制作費が高価となる欠点がある。
【先行技術文献】
【特許文献】
【００１１】
【特許文献１】特開２００４−１８９４５４号公報
【発明の概要】
【発明が解決しようとする課題】
【００１２】
したがって、本発明の目的は、部品点数が少なく構造が簡単であり、製作費が安価となるサクションロールを提供することにある。
【課題を解決するための手段】
【００１３】
上記の課題を解決するために、本発明の請求項１に係るサクションロールは、円筒状をなして内部に減圧室を形成すると共に円筒壁の一部に内外を連通する開口を備える内筒と、前記内筒の一端部に取り付けられると共に中空状をなして前記減圧室と機外とを連通する中空固定軸と、前記内筒の他端部を閉塞して設けられると共に前記中空固定軸と同一軸線上に形成される閉塞固定軸と、円筒状をなして前記両固定軸に軸受を介して回転可能に取り付けられると共に円筒壁の一部に内外をガスが流通可能なガス吸引部が形成される外筒とを備え、前記内筒の円筒外表面と前記外筒の円筒内表面とが密接して形成されているという手段を採用している。
【００１４】
また、本発明の請求項２に係るサクションロールは、請求項１に記載のサクションロールであって、前記外筒が、前記閉塞固定軸の側に駆動軸を備えている手段を採用している。また、本発明の請求項３に係るサクションロールは、請求項１又は２に記載のサクションロールであって、前記ガス吸引部が、円筒壁に多数の孔を穿設して形成されている手段を採用している。さらに、本発明の請求項４に係るサクションロールは、請求項１乃至３の何れかに記載のサクションロールであって、前記内筒の円筒外表面と前記外筒の円筒内表面との間の隙間が、０．３ｍｍ以下に形成されている手段を採用している。
【発明の効果】
【００１５】
本発明のサクションロールは、部品点数が少ないために材料費が安価であり、また、構造が簡単であるために製作費を低減することができる。
【図面の簡単な説明】
【００１６】
【図１】本発明のサクションロールの一例を示す概略全体断面図である。
【図２】図１のＡ−Ａ矢視の概略断面図である。
【図３】従来のサクションロールの一例を示す概略全体断面図である。
【図４】図３のＸ−Ｘ矢視の概略断面図である。
【発明を実施するための形態】
【００１７】
以下、本発明を図に示す実施例により説明するが、これらの図は本発明を何ら限定するものではない。図１は、本発明のサクションロール１０の概略断面図であり、図２は、図１におけるＡ−Ａ矢視の概略断面図である。
【００１８】
本発明のサクションロール１０は、前述のサクションロール１１０と同様に、内筒２０及び外筒５０を備えている。
【００１９】
内筒２０は、円筒状をなして内部に減圧室２１形成すると共に、円筒壁の一部に内外を連通する開口２２を備えている。内筒２０の一端部には、減圧室２１と機外とを連通する中空固定軸３１が取り付けられている。また、内筒２０の他端部には、他端部を閉塞すると共に中空固定軸と同一軸線上に形成される閉塞固定軸３２が取り付けられている。
【００２０】
そして、内筒２０を包み込むような状態で、外筒５０が設けられている。外筒５０は、円筒状をなすと共に、両端のサイドフランジ５１、５２が軸受４１、４２を介して両固定軸３１、３２に回転可能に取り付けられている。また、円筒壁の一部に、内外をガスが流通可能なガス吸引部５５が形成されている。
【００２１】
ガス吸引部５５は、円筒壁に多数の孔５６を穿設して形成することができる。搬送物に対する吸引力を一様にするためには、直径が１〜５ｍｍ程度の多数の孔５６を穿設した外筒５０の外周面に、さらに、通気構造のニッケルメッシュスリーブ等で被覆することが好ましい。
【００２２】
ガス吸引部５５は、図に示すように軸線方向に所定の長さにわたって外筒５０の全周に形成される。そして、多数の孔５６は、ガス吸引部５５内の全範囲にわたって均等に形成される。このガス吸引部５５の長さが、搬送物に対する吸着幅ｗとなる。
【００２３】
外筒５０は、閉塞固定軸３２の側に駆動軸５４を備え、プーリー４３等を取り付けて駆動することができる。中空固定軸の側には、ベアリング押え５３が設けられている。構造が少し複雑になるが、中空固定軸３１の側に駆動軸５４を設けることも可能である。
【００２４】
本発明の特徴は、内筒２０の外表面と外筒５０の内表面とが密接して形成されていることである。このため、減圧室２１内に空気が流入するのは、ガス吸引部５５内であって、内筒２０の開口２２が設けられている範囲に限定される。外筒５０の孔５６は、全周にわたって形成されているが、内筒２０の開口２２に対応しない部分は減圧の影響を受け難いので、空気は殆ど流入しない。
【００２５】
内筒２０の円筒外表面及び外筒５０の円筒内表面は、機械加工により簡単に、かつ精密に仕上げることができる。そして、内筒２０の円筒外表面と外筒５０の円筒内表面との間の隙間は、１．０ｍｍ以下に形成することが好ましく、０．３ｍｍ以下に形成することがより好ましい。
【００２６】
また、内筒２０は、図に示すように、開口２２が設けられている範囲の外表面を薄く削って、段差２７を設けることにより、吸着範囲を一層明確に限定することができる。すなわち、段差２７を形成した部分が、吸着幅ｗ及び吸着角θを決めることになる。
【００２７】
このサクションロール１０を使用するときは、中空固定軸３１及び駆動軸５４を固定枠等に回転可能に取り付け、別途に設けた駆動源により駆動軸５４を回転する。同時に、中空固定軸３１を真空ポンプ等の減圧源に接続し、減圧室２１内を減圧状態とする。これによって、搬送物Ｆを外筒５０に巻き付かせて、吸着搬送することができる。
【００２８】
以上のように、本発明のサクションロール１０は、部品点数が少ないために材料費が安価であり、構造が簡単であるために製作費を低減することができる。
【符号の説明】
【００２９】
１０、１１０  サクションロール
２０、１２０  内筒
２１、１２１  減圧室
２２、１２２  開口
２７  段差
３１、１３１  中空固定軸
３２、１３２  閉塞固定軸
４１、４２、１４１、１４２  軸受
４３  プーリー
５０、１５０  外筒
５１、５２、１５１、１５２  サイドフランジ
５３  ベアリング押え
５４、１５４  駆動軸
５５、１５５  ガス吸引部
５６  孔
１２３  仕切部材
１５３  中空回転軸
１６１  吸引領域
１６２  非吸引領域
【図１】
2010173842.tif 000003
【図２】
2010173842.tif 000004
【図３】
2010173842.tif 000005
【図４】
2010173842.tif 000006